(57)【要約】  コンクリートスラブの型枠として用いられるデッキプレートが全体の長さを変更できる構造であっても支柱を用いずにデッキプレートを下方から支持することが可能な中間支保工を提供する。  本発明の本発明の中間支保工（１ａ）は、所定の間隔を空けて互いに平行をなすように設置された一対のＨ型鋼（５８ａ，５８ａ）の間に、それらの長手方向と直交するように架け渡されたデッキプレート（５１）を下方から支持する鋼製梁（２）と、一対のＨ型鋼（５８ａ，５８ａ）の両端近傍に、それらの長手方向と直交するように設置される一対のＨ型鋼（５８ｂ，５８ｂ）に取り付けられた状態で鋼製梁（２）の両端をそれぞれ支持する梁支持具（３ａ，３ａ）を備えている。
2019230028.tif 000002
【特許請求の範囲】
【請求項１】
鉄骨を構造材料とする建築物においてコンクリートスラブを形成する際に用いられる中間支保工であって、
互いに平行をなすように設置された一対の第１のＨ型鋼（５８ａ，５８ａ）の間に、それらの長手方向と直交するように架け渡されたデッキプレート（５１）の下面に対して上面を当接させた状態で一対の前記第１のＨ型鋼（５８ａ，５８ａ）と平行に設置された鋼製梁（２）と、
一対の前記第１のＨ型鋼（５８ａ，５８ａ）の両端近傍に、それらの長手方向と直交するようにそれぞれ設置される一対の第２のＨ型鋼（５８ｂ，５８ｂ）に取り付けられた状態で前記鋼製梁（２）の両端をそれぞれ支持する一対の梁支持具と、を備え、
前記梁支持具は、上面に角材（５９）が載置される角材受け金具（２２）を有し、前記角材（５９）を介して前記鋼製梁（２）の端部を支持可能に形成されていることを特徴とする中間支保工。
【請求項２】
前記梁支持具は、
外周面と内周面にそれぞれ第１の雄ネジ部（１４ａ）と雌ネジ部（１４ｂ）が設けられるとともに第１の受け金具（１５）が一端に取り付けられた第１の円筒体（１４）と、
第２の受け金具（１６）が一端に取り付けられた第２の円筒体と、
前記雌ネジ部（１４ｂ）に螺合する第２の雄ネジ部（１９ａ）が外周面に設けられるとともに前記第１の円筒体（１４）に一端が螺入され、他端が前記第２の円筒体によって、前記第１の円筒体（１４）の円筒軸方向への移動を規制されるとともに前記円筒軸を中心として回動可能に保持された第１の支柱（１９）と、
この第１の支柱（１９）の前記他端に設けられた斜歯に螺合するように前記第２の受け金具（１６）の上面に設置されたウォーム（１８）と、
前記第１の円筒体（１４）を前記第２の円筒体に対して、前記円筒軸方向の移動を許容しつつ、前記円筒軸を中心として回動不能に連結する第１の回り止め手段と、
前記第１の円筒体（１４）に回動可能に外挿された筒状の支持金具（２１）と、
この支持金具（２１）に設置された前記角材受け金具（２２）と、
前記第１の円筒体（１４）の前記第１の雄ネジ部（１４ａ）に螺合した状態で前記第２の円筒体と前記支持金具（２１）の間に設置された第１のナットと、を備えており、
前記角材受け金具（２２）は、
平面視略矩形状をなし前記第１の円筒体（１４）の前記円筒軸方向に直交するように一端が前記支持金具（２１）に接合される平坦部（２２ａ）と、
前記第１の円筒体（１４）の前記円筒軸方向と平行に前記第１の受け金具（１５）へ向かって前記平坦部（２２ａ）の他端から延設される第１の直立部（２２ｂ）と、からなり、
前記平坦部（２２ａ）は、前記第１の直立部（２２ｂ）と前記支持金具（２１）の間に前記角材（５９）を配置可能に形成されていることを特徴とする請求項１に記載の中間支保工。
【請求項３】
前記梁支持具は、
前記第１の円筒体（１４）と前記ウォーム（１８）と前記第１の支柱（１９）と第１の回り止め手段を備える代わりに、
外周面に第２の雄ネジ部（２７ａ）が設けられるとともに前記第１の受け金具（１５）が一端に取り付けられた第２の支柱（２７）と、
この第２の支柱（２７）の前記第２の雄ネジ部（２７ａ）に螺合される第２のナット（３０）と、
前記第２の支柱（２７）を前記第２の円筒体に対して、その円筒軸方向の移動を許容しつつ、前記円筒軸を中心として回動不能に連結する第２の回り止め手段と、を備え、
前記支持金具（２１）は、前記第１の円筒体（１４）の代わりに前記第２の支柱（２７）に回動可能に外挿され、
前記第１のナットは、前記第１の円筒体（１４）の代わりに前記第２の支柱（２７）の前記第２の雄ネジ部（２７ａ）に螺合した状態で前記第２の円筒体と前記支持金具（２１）の間に設置され、
前記第２のナット（３０）は、前記第２の支柱（２７）の前記第２の雄ネジ部（２７ａ）に螺合した状態で前記第２の円筒体（２７）と前記第１のナットの間に設置されていることを特徴とする請求項２に記載の中間支保工。
【請求項４】
鉄筋コンクリートを構造材料とする建築物においてコンクリートスラブを形成する際に用いられる中間支保工であって、
互いに平行をなすように設置された一対の第１の梁型枠（６０ａ，６０ａ）の間に、それらの長手方向と直交するように架け渡されたデッキプレート（５１）の下面に対して上面を当接させた状態で一対の前記第１の梁型枠（６０ａ，６０ａ）と平行に設置された鋼製梁（２）と、
一対の前記第１の梁型枠（６０ａ，６０ａ）の両端近傍に、それらの長手方向と直交するようにそれぞれ設置される一対の第２の梁型枠（６０ｂ，６０ｂ）に取り付けられた状態で前記鋼製梁（２）の両端をそれぞれ支持する一対の梁支持具と、を備え、
前記梁支持具は、上面に角材（５９）が載置される角材受け金具（３８）を有し、前記角材（５９）を介して前記鋼製梁（２）の端部を支持可能に形成されていることを特徴とする中間支保工。
【請求項５】
前記梁支持具は、
平面視矩形状をなすとともに一端が下方へ直角に折り曲げられるようにして直立部（３４ａ）が形成された長尺部材（３４）と、
この長尺部材（３４）の下面（３４ｂ）に上端が連結された角筒状の支柱（３６）と、
この支柱（３６）の外側に遊挿された状態で前記支柱（３６）に対して上端が回動可能に連結された角筒状の支持金具（３７）と、
この支持金具（３７）に設置された角材受け金具（３８）と、
前記支持金具（３７）においてその回動軸と平行な２つの側面のうちの一方に設けられた第１のボルト孔に、前記支持金具（３７）の内部へ先端部を突出可能に螺入された傾き調整用ボルト（４３）と、を備え、
前記角材受け金具（３８）は、
平面視略矩形状をなし前記第１のボルト孔が設けられた前記支持金具（３７）の前記側面に対して鋭角をなすように一端が接合される平坦部（３８ａ）と、
前記平坦部（３８ａ）に直交するようにその他端から上方へ延設される第１の直立部（３８ｂ）と、からなり、
前記平坦部（３８ａ）は、前記第１の直立部（３８ｂ）と前記支持金具（３７）の間に前記角材（５９）を配置可能に形成されていることを特徴とする請求項４に記載の中間支保工。
【請求項６】
前記梁支持具は、
前記角材受け金具において前記第１の直立部を設ける代わりに、互いに平行をなす前記平坦部の２つの端縁から一対の第２の直立部が上方へ延設された梁受け金具を備えていることを特徴とする請求項１乃至請求項５のいずれか１項に記載の中間支保工。
【請求項７】
前記鋼製梁（２）は、
鋼製の長尺部材（７）と、この長尺部材（７）の長手方向の一端から所望の間隔をあけて、第１の面（７ｂ）に設けられる鋼製の補強部材（６）からなる一対の固定金具（５）と、
下面（４ａ）に第２のボルト孔が形成された鋼製の角パイプ（４）と、
この角パイプ（４）の内部へ先端部を突出可能に前記第２のボルト孔に螺入されたボルト（８）と、を備え、
前記補強部材（６）は、前記長尺部材（７）の長手方向の他端側から前記角パイプ（４）の内部に少なくとも一部が前記長尺部材（７）とともに挿設可能に形成されていることを特徴とする請求項１乃至請求項６のいずれか１項に記載の中間支保工。
【発明の詳細な説明】
【技術分野】
【０００１】
本発明は、建築物の床や天井等にコンクリートスラブを形成する際に型枠を支持する中間支保工に係り、特に、支柱を用いずに型枠の中間部分を支持することができる中間支保工に関する。
【背景技術】
【０００２】
鉄筋コンクリートや鉄骨を構造材料とする建築物では、床や天井等にコンクリートスラブを形成する際に、金属製の板材を加工したデッキプレートが型枠の一部として用いられる場合が多い。
従来のデッキプレートは、梁の上面に溶接されたり、ボルト締め等によって梁などに固定されたりしていたため、固化したコンクリートスラブから分離して回収することが困難であった。しかしながら、このようなデッキプレートは、コンクリートが固化してスラブが形成された時点で、その役割を終えるため、コンクリートスラブの施工後に効率よく回収できるように、コンクリートスラブからの分離が容易な構造であることが望ましい。【０００３】
例えば、特許文献１には、全体の長さの調節を効率良く行うことができるとともに、コンクリートスラブを施工した後に回収して複数回繰り返して利用できるデッキプレートとその製造方法に関する発明が記載されている。
ここで、特許文献１に記載されているように全体の長さの調節ができるデッキプレートの一般的な構造について、図１１及び図１２を用いて説明する。ただし、図１１（ａ）及び図１１（ｂ）はそれぞれ上述のデッキプレートの正面図及び平面図であり、図１２（ａ）及び図１２（ｂ）は図１１（ａ）に示したデッキプレートを構成する２種類の型枠部材の正面図であり、図１２（ｃ）及び図１２（ｄ）はそれらの型枠部材の平面図である。【０００４】
図１１及び図１２に示すように、デッキプレート５１は、上面５４ａ，５５ａがコンクリートを打設する際に成型面となる平板５４，５５と、この平板５４，５５の下面５４ｂ，５５ｂに溶接や接着あるいはリベットやビスによって固定される角パイプ５６，５７によって構成される厚さ０．８ｍｍ程度の金属製の型枠部材５２，５３からなる。
角パイプ５６は一端が扁平状に押圧変形されており、この端部（以下、扁平端５６ｂという。）を閉塞するように金属製の長尺部材（図示せず）がその内部に挿設されている。そして、角パイプ５６の外寸は角パイプ５７の内寸よりも小さく、開口端５６ａは開口端５７ａに対して挿通可能に形成されている。【０００５】
角パイプ５６の上面５６ｃは平板５４に対し、長手方向の中央付近と扁平端５６ｂの近傍の２か所がスポット溶接されており、角パイプ５７の上面５７ｂは平板５５に対し、長手方向の中央付近と両端近傍の３か所がスポット溶接されている。これにより、型枠部材５２は、型枠部材５３の角パイプ５７の内部に角パイプ５６を挿通するようにして、平板５４の下面５４ｂと角パイプ５６の上面５６ｃの間に、平板５５を所定の長さだけ挿入可能となっている。
なお、平板５４，５５は厚さが０．８ｍｍ程度と薄いため、平板５４の下面５４ｂと角パイプ５６の上面５６ｃの間に平板５５を挿入して平板５４，５５の一部を重ね合わせた後、上面５４ａ，５５ａにコンクリートを打設した場合でも、平板５４の下面５４ｂと平板５５の上面５５ａの間にコンクリートが入り込むおそれはない。【０００６】
このように、デッキプレート５１は、角パイプ５６の開口端５６ａを角パイプ５７の開口端５７ａの内部に挿入するようにして型枠部材５２を型枠部材５３に連結し、図１１（ａ）に矢印Ｘで示すように型枠部材５２，５３を互いにスライドさせることにより、全長を容易に調節可能な構造となっている。
特許文献１に記載されたデッキプレートは、このような構造を備えていることから、コンクリートスラブからの分離が容易であり、回収した後の利用範囲も広いため、再利用に適している。また、全長を調節することで、再利用の際に設置場所に対する制約を受け難いというメリットもある。
【先行技術文献】
【特許文献】
【０００７】
【特許文献１】国際公開第２０１５／０２９１９７号パンフレット
【発明の概要】
【発明が解決しようとする課題】
【０００８】
図１１及び図１２に示したデッキプレート５１を用いたコンクリートスラブの施工方法について図１３を用いて説明する。なお、図１３は図１１及び図１２に示したデッキプレート５１が一対のＨ型鋼の間に架け渡された状態を示した図である。
鉄骨を構造材料とする建築物の場合、図１３に示すように上下のフランジが水平をなすとともに、所定の間隔を空けて互いに平行に設置された一対のＨ型鋼５８ａ，５８ａの間に複数枚のデッキプレート５１が架け渡される。ただし、Ｈ型鋼５８ａ，５８ａの上部近傍には、その長手方向と平行に角材５９，５９が設置されており、デッキプレート５１の両端は、実際には、この一対の角材５９，５９の上面に両端がそれぞれ載置される。
また、鉄筋コンクリートを構造材料とする建築物の場合には、既に形成されている下階のスラブ等の上に組み上げられた支保工の上に梁型枠が設置される。そして、この梁型枠の側部に固定された角材の上面に端部を載置するようにして、所定の間隔を空けて互いに平行に設置された一対の梁型枠の間に複数枚のデッキプレート５１が掛け渡される。【０００９】
上述のいずれの場合であっても、支保工の一部を構成する支柱によってデッキプレート５１の中央部が支持された状態で平板５４，５５の上面５４ａ，５５ａ（図１１（ａ）参照）に型枠が形成され、この型枠の内部にコンクリートが打設される。
型枠内のコンクリートが固化すると、型枠や支柱あるいはデッキプレート５１などが撤去されるが、このとき、全ての支柱が一度に撤去されてしまうと、支えを失ったデッキプレート５１が不用意に落下してしまうおそれがある。そのため、通常、所定のデッキプレート５１に対し、それまで支柱で支持されていた箇所とは別の箇所を支持するための新たな支柱が設置され、全てのデッキプレート５１が撤去された後、それらの支柱が撤去される。【００１０】
このように、デッキプレート５１は、コンクリートスラブの施工時に、所定の間隔を空けて互いに平行をなすように設置された一対のＨ型鋼や梁型枠の側部に固定された角材の上面に両端がそれぞれ載置された状態で、上面にコンクリートが打設される。そのため、デッキプレート５１には、その長手方向の中央部を最も大きく撓ませるような曲げモーメントが発生する。しかし、この曲げモーメントの作用によってデッキプレート５１が撓んでしまうと、コンクリートスラブの平坦度が保たれなくなるなどの不具合が生じる。そこで、上述したように、特許文献１に記載された発明も含め、従来、デッキプレート５１は、その中央部を支柱によって支持する必要があった。
しかしながら、このように支柱を使用した場合、材料費がかかるだけでなく、設置や撤去に時間を要し、全体の工期が長くなることから、作業コストが嵩んでしまうという課題があった。【００１１】
本発明は、このような従来の事情に対処してなされたものであり、コンクリートスラブの型枠として用いられるデッキプレートが全体の長さを変更できる構造であっても支柱を用いずにデッキプレートを下方から支持することが可能な中間支保工を提供することを目的とする。
【課題を解決するための手段】
【００１２】
上記目的を達成するため、第１の発明は、鉄骨を構造材料とする建築物においてコンクリートスラブを形成する際に用いられる中間支保工であって、互いに平行をなすように設置された一対の第１のＨ型鋼の間に、それらの長手方向と直交するように架け渡されたデッキプレートの下面に対して上面を当接させた状態で一対の第１のＨ型鋼と平行に設置された鋼製梁と、一対の第１のＨ型鋼の両端近傍に、それらの長手方向と直交するようにそれぞれ設置される一対の第２のＨ型鋼に取り付けられた状態で鋼製梁の両端をそれぞれ支持する一対の梁支持具と、を備え、梁支持具は、上面に角材が載置される角材受け金具を有し、角材を介して鋼製梁の端部を支持可能に形成されていることを特徴とするものである。【００１３】
第１の発明においては、デッキプレートが鋼製梁によって下方から支持されるという作用を有する。このとき、鋼製梁を支持する梁支持具が第２のＨ型鋼に取り付けられる構造であることから、デッキプレートや鋼製梁を支持するための支柱を設置する必要がない。さらに、第１の発明では、鋼製梁の端部が梁支持具によって角材を介して支持される構造であることから、一対の梁支持具により複数本の鋼製梁が支持されるという作用を有する。【００１４】
第２の発明は、第１の発明において、梁支持具は、外周面と内周面にそれぞれ第１の雄ネジ部と雌ネジ部が設けられるとともに第１の受け金具が一端に取り付けられた第１の円筒体と、第２の受け金具が一端に取り付けられた第２の円筒体と、雌ネジ部に螺合する第２の雄ネジ部が外周面に設けられるとともに第１の円筒体に一端が螺入され、他端が第２の円筒体によって、第１の円筒体の円筒軸方向への移動を規制されるとともに円筒軸を中心として回動可能に保持された第１の支柱と、この第１の支柱の他端に設けられた斜歯に螺合するように第２の受け金具の上面に設置されたウォームと、第１の円筒体を第２の円筒体に対して、円筒軸方向の移動を許容しつつ、円筒軸を中心として回動不能に連結する第１の回り止め手段と、第１の円筒体に回動可能に外挿された筒状の支持金具と、この支持金具に設置された角材受け金具と、第１の円筒体の第１の雄ネジ部に螺合した状態で第２の円筒体と支持金具の間に設置された第１のナットと、を備えており、角材受け金具は、平面視略矩形状をなし第１の円筒体の円筒軸方向に直交するように一端が支持金具に接合される平坦部と、第１の円筒体の円筒軸方向と平行に第１の受け金具へ向かって平坦部の他端から延設される第１の直立部と、からなり、平坦部は、第１の直立部と支持金具の間に角材を配置可能に形成されていることを特徴とするものである。【００１５】
第２の発明において、第１の円筒体が第２の円筒体の上方に配置されるようにして第１の円筒体の円筒軸方向が鉛直方向と平行になるように梁支持具が設置された状態でウォームを回転させると、第１の支柱が回転し、これに伴い、第１の支柱の第２の雄ネジ部に雌ネジ部が螺合している第１の円筒体が上下方向へ移動する結果、梁支持具の全長が変化する。
また、この状態で第１のナットを回転させると、第１の円筒体に対してその円筒軸方向へ第１のナットが移動することにより、支持金具が第１の円筒体の円筒軸方向へ移動する。【００１６】
このように、第２の発明では、第１の発明の作用に加え、ウォームを回転させるという簡単な操作によって梁支持具全体の長さが変化するという作用を有する。また、梁支持具において、第２のＨ型鋼の上下のフランジに第１の受け金具と第２の受け金具をそれぞれ当接させるとともに、角材受け金具に対し、側面を第１の直立部に当接させるようにして角材を平坦部の上面に設置した状態で第１のナットを回動させると、支持金具に設置された角材受け金具が上下方向へ移動することにより、角材受け金具の平坦部に載置された角材の高さが変化するという作用を有する。【００１７】
第３の発明は、第２の発明において、梁支持具は、第１の円筒体とウォームと第１の支柱と第１の回り止め手段を備える代わりに、外周面に第２の雄ネジ部が設けられるとともに第１の受け金具が一端に取り付けられた第２の支柱と、この第２の支柱の第２の雄ネジ部に螺合される第２のナットと、第２の支柱を第２の円筒体に対して、その円筒軸方向の移動を許容しつつ、当該円筒軸を中心として回動不能に連結する第２の回り止め手段と、を備え、支持金具は、第１の円筒体の代わりに第２の支柱に回動可能に外挿され、第１のナットは、第１の円筒体の代わりに第２の支柱の第２の雄ネジ部に螺合した状態で第２の円筒体と支持金具の間に設置され、第２のナットは、第１のナットの下方に配されるとともに、第２の支柱の第２の雄ネジ部に螺合した状態で第２の円筒体と第１のナットの間に設置されていることを特徴とするものである。
第３の発明では、第２のナットを回転させることによって、第２の発明においてウォームを回転させた場合と同様の作用が発揮される。【００１８】
第４の発明は、鉄筋コンクリートを構造材料とする建築物においてコンクリートスラブを形成する際に用いられる中間支保工であって、互いに平行をなすように設置された一対の第１の梁型枠の間に、それらの長手方向と直交するように架け渡されたデッキプレートの下面に対して上面を当接させた状態で一対の第１の梁型枠と平行に設置された鋼製梁と、一対の第１の梁型枠の両端近傍に、それらの長手方向と直交するようにそれぞれ設置される一対の第２の梁型枠に取り付けられた状態で鋼製梁の両端をそれぞれ支持する一対の梁支持具と、を備え、梁支持具は、上面に角材が載置される角材受け金具を有し、角材を介して鋼製梁の端部を支持可能に形成されていることを特徴とするものである。【００１９】
鉄筋コンクリートを構造材料とする建築物においてコンクリートスラブを形成する場合、鉄骨を構造材料とする建築物においてコンクリートスラブを形成する際に第１の発明によって発揮される作用と同様の作用が第４の発明によって発揮される。【００２０】
第５の発明は、第４の発明において、梁支持具は、平面視矩形状をなすとともに一端が下方へ直角に折り曲げられるようにして直立部が形成された長尺部材と、この長尺部材の下面に上端が連結された角筒状の支柱と、この支柱の外側に遊挿された状態で支柱に対して上端が回動可能に連結された角筒状の支持金具と、この支持金具に設置された角材受け金具と、支持金具においてその回動軸と平行な２つの側面のうちの一方に設けられた第１のボルト孔に、支持金具の内部へ先端部を突出可能に螺入された傾き調整用ボルトと、を備え、角材受け金具は、平面視略矩形状をなし第１のボルト孔が設けられた支持金具の側面に対して鋭角をなすように一端が接合される平坦部と、平坦部に直交するようにその他端から上方へ延設される第１の直立部と、からなり、平坦部は、第１の直立部と支持金具の間に角材を配置可能に形成されていることを特徴とするものである。【００２１】
第５の発明では、せき板と横桟木を備えた第２の梁型枠において、せき板の上部側面に直立部を係止させるようにして長尺部材を横桟木の上面に載置することにより、梁支持具が第２の梁型枠に固定される。また、コンクリートスラブの施工後には、第２の梁型枠を撤去することにより、梁支持具がコンクリートスラブから分離可能な状態になる。すなわち、第５の発明においては、第２の梁型枠に梁支持具を取り付ける作業やコンクリートスラブから梁支持具を回収する作業が容易である。【００２２】
また、梁支持具が第２の梁型枠に取り付けられている場合、支持金具には、その自重によって、角材受け金具の平坦部の先端側（第１の直立部に接続されている側）を下方へ移動させようとする回転モーメントが発生する。このとき、先端部が支柱に当接した状態にある傾き調整用ボルトは、支持金具の回転を阻止して、角材受け金具の平坦部の長手方向（支持金具の側面に接合された基端側から上記先端側に向かう方向）と水平方向とのなす角度を維持するように機能する。
すなわち、第５の発明においては、傾き調整用ボルトを操作して、その先端部が支持金具の第１のボルト孔から突出する長さを調節することで、平坦部の長手方向が水平方向と所定の角度をなした状態に角材受け金具の姿勢が保たれるという作用を有する。【００２３】
第６の発明は、第１の発明乃至第５の発明のいずれかの発明において、梁支持具は、角材受け金具において第１の直立部を設ける代わりに、互いに平行をなす平坦部の２つの端縁から一対の第２の直立部が上方へ延設された梁受け金具を備えていることを特徴とするものである。
第６の発明においては、第１の発明乃至第５の発明のいずれかの発明の作用に加え、Ｈ型鋼や梁型枠の端部付近のように、角材を介して鋼製梁の端部を支持する構造の梁支持具を設置できない場所であっても、鋼製梁が梁支持具によって支持されるという作用を有する。【００２４】
第７の発明は、第１の発明乃至第６の発明のいずれかの発明において、鋼製梁は、鋼製の長尺部材と、この長尺部材の長手方向の一端から所望の間隔をあけて、第１の面に設けられる鋼製の補強部材からなる一対の固定金具と、下面に第２のボルト孔が形成された鋼製の角パイプと、この角パイプの内部へ先端部を突出可能に第２のボルト孔に螺入されたボルトと、を備え、補強部材は、長尺部材の長手方向の他端側から角パイプの内部に少なくとも一部が長尺部材とともに挿設可能に形成されていることを特徴とするものである。【００２５】
第７の発明においては、第１の発明乃至第６の発明のいずれかの発明の作用に加え、固定金具を角パイプの長手方向へスライドさせることにより、鋼製梁全体の長さが変化するという作用を有する。また、周知のペコビームと呼ばれる支保梁材よりも軽量であり、しかも部材が少ないため、製造コストが安いという作用を有する。さらに、角パイプの第２のボルト孔に螺入されているボルトを回転させて、第２のボルト孔から突出した先端部で角パイプの下面を押圧することによって、固定金具が角パイプに対して固定されるという作用を有する。
【発明の効果】
【００２６】
デッキプレートをコンクリートスラブの型枠として用いる場合、コンクリートの荷重によってデッキプレートが撓まないように、デッキプレートを下方から支持するための支柱が設置される。しかしながら、支柱を使用すると、材料費がかかるだけでなく、設置や撤去に時間を要し、全体の工期が長くなることから、作業コストが嵩んでしまう。特に、全体の長さを変更できるようにデッキプレートが複数の型枠材によって構成されている場合、それぞれの型枠材の接続部分に支柱を設置する必要があるため、支柱の設置や撤去に要する費用はさらに高額なものとなる。
これに対し、第１の発明では、全体の長さを変更できるような構造のデッキプレートをコンクリートスラブの型枠として用いる場合にも、支柱を用いずにデッキプレートを下方から支持することが可能である。この場合、支柱の設置や撤去に要する費用が発生しないため、コンクリートスラブの施工費用を安く抑えることができる。そして、このような効果は、全体の長さを変更できるように複数の型枠材によって構成されたデッキプレートをコンクリートスラブの型枠として用いる場合に、特に顕著に発揮される。
また、第１の発明では、一対の梁支持具によって複数の鋼製梁を支持することが可能であるため、第２のＨ型鋼１本あたりの梁支持具の設置個数を少なくして、第２のＨ型鋼に対する梁支持具の取り付けや取り外しに要する作業の効率化を図ることができる。【００２７】
第２の発明によれば、第１の発明の効果に加えて、梁支持具を第２のＨ型鋼の上側フランジと下側フランジの間に設置した後にウォームを回転させて第１の円筒体を上昇させ、上側フランジの下面と下側フランジの上面に対して第１の受け金具と第２の受け金具をそれぞれ当接させた状態で、さらにウォームを回転させて第１の円筒体を上昇させると、上側フランジの下面と下側フランジの上面が第１の受け金具と第２の受け金具によってそれぞれ押圧されるため、梁支持具を第２のＨ型鋼に対して確実に固定できるという効果を奏する。【００２８】
また、第２の発明によれば、梁支持具全体の長さの調節が容易であるため、上側フランジから下側フランジまでの距離が異なる複数種類の第２のＨ型鋼に対しても、その距離に応じて梁支持具の全長を変えることで、梁支持具を支障なく設置できるという効果を奏する。
さらに、第２の発明によれば、梁支持具の角材受け金具に載置された角材の上面の高さの調節が容易であるため、フランジの厚さが異なる別の第２のＨ型鋼に用いる場合にも、鋼製梁の上面がデッキプレートの下面に当接するように、角材の上面にスペーサを設置するなどして鋼製梁の上面の高さを調整する作業を行う必要がない。したがって、第２の発明によれば、デッキプレートの設置作業を短時間で効率良く行うことができる。【００２９】
第３の発明によれば、第２のナットを回転させることによって、第２の発明においてウォームを回転させた場合と同様の効果が発揮される。【００３０】
第４の発明によれば、鉄筋コンクリートを構造材料とする建築物においてコンクリートスラブを形成する場合に、鉄骨を構造材料とする建築物においてコンクリートスラブを形成する場合に第１の発明が奏する効果と同様の効果を奏する。【００３１】
第５の発明によれば、梁支持具を第２の梁型枠に取り付けた後、傾き調整用ボルトを回転させることで、水平方向に対する角材受け金具の平坦部の傾きを調整することができる。したがって、コンクリートスラブが形成された段階で、傾き調整用ボルトを操作して、その先端部が支持金具のボルト孔から突出する長さを短くすると、平坦部が角材から離れる方向へ角材受け金具が回転するため、角材の撤去が可能になる。そして、角材を撤去すれば、鋼製梁も容易に撤去可能な状態になる。さらに、第２の梁型枠を撤去すると、梁支持具をコンクリートスラブから回収することができる。
このように、第５の発明によれば、第２の梁型枠に梁支持具を取り付ける作業やコンクリートスラブから梁支持具を回収する作業が容易であるため、第４の発明の効果に加えて、デッキプレートの設置作業や撤去作業を短時間で効率良く行うことができるという効果を奏する。【００３２】
第６の発明によれば、第１の発明乃至第５の発明のいずれかの発明と同様の効果に加え、Ｈ型鋼や梁型枠の端部付近のように、角材を介して鋼製梁の端部を支持する構造の梁支持具を設置できない場所に対しても、鋼製梁を設置できるという効果を奏する。【００３３】
第７の発明によれば、コンクリートスラブの形成後に、鋼製梁全体の長さを短くすることで、梁支持具から鋼製梁を取り外す作業が容易となる。そして、鋼製梁がこのような構造であれば、全体の長さが調節可能であるため、回収後の利用範囲が広い。すなわち、第７の発明によれば、第１の発明乃至第６の発明のいずれかの発明と同様の効果に加え、鋼製梁を容易に回収して再利用することができるという効果を奏する。
【図面の簡単な説明】
【００３４】
【図１】（ａ）は一対のＨ型鋼の間に架け渡されたデッキプレートが本発明の実施の形態に係る中間支保工の実施例１によって支持される状態を示した斜視図であり、（ｂ）は同図（ａ）におけるＡ方向矢視図である。
【図２】（ａ）は一対のＨ型鋼の間に架け渡されたデッキプレートが本発明の実施の形態に係る中間支保工の実施例１によって支持される状態を示した斜視図であり、（ｂ）は同図（ａ）におけるＢ方向矢視図である。
【図３】（ａ）及び（ｂ）はそれぞれ鋼製梁を構成する角パイプの正面図と固定金具の斜視図であり、（ｃ）は固定金具を構成する補強部材の斜視図である。
【図４】（ａ）及び（ｂ）は実施例１の中間支保工を構成する２種類の梁支持具がＨ型鋼に取り付けられた状態を示す斜視図である。
【図５】（ａ）は図１（ｂ）の変形例を示した図であり、（ｂ）は図４（ａ）におけるＣ−Ｃ線矢視断面図である。
【図６】（ａ）乃至（ｃ）は一対のＨ型鋼の間に架け渡されたデッキプレートが本発明の実施の形態に係る実施例２の中間支保工によって支持される状態を示した正面図である。
【図７】（ａ）及び（ｂ）は本実施例の中間支保工を構成する２種類の梁支持具の正面図であり、（ｃ）及び（ｄ）はそれぞれ同図（ａ）及び（ｂ）に示した角材受け金具と梁受け金具の平面図であり、（ｅ）は同図（ａ）及び（ｂ）に示した支柱の正面図である。
【図８】（ａ）乃至（ｃ）は一対の梁型枠の間に架け渡されたデッキプレートが本発明の実施の形態に係る実施例３の中間支保工によって支持される状態を示した正面図である。
【図９】（ａ）は図８（ｂ）におけるＤ部の拡大図であり、（ｂ）は同図（ａ）に示した係止金具の平面図であり、（ｃ）は同図（ａ）におけるＦ−Ｆ線矢視断面図である。
【図１０】（ａ）は図８（ｃ）におけるＥ部の拡大図であり、（ｂ）は同図（ａ）におけるＧ−Ｇ線矢視断面図である。
【図１１】（ａ）及び（ｂ）はそれぞれ全長を変えることができる一般的なデッキプレートの正面図及び平面図である。
【図１２】（ａ）及び（ｂ）は図１１（ａ）に示したデッキプレートを構成する２種類の型枠部材の正面図であり、（ｃ）及び（ｄ）はそれぞれ同図（ａ）及び（ｂ）に示した型枠部材の平面図である。
【図１３】図１１及び図１２に示したデッキプレートが一対のＨ型鋼の間に架け渡された状態を示した図である。
【発明を実施するための形態】
【００３５】
本発明の中間支保工について、図１乃至図１０を参照しながら具体的に説明する。なお、本発明の中間支保工は、鉄筋コンクリートや鉄骨鉄筋コンクリートを構造材料とする構築物においてコンクリートスラブを形成する際に、一対の梁型枠の間や一対のＨ型鋼の間に掛け渡されるデッキプレートを下方から支持するものである。
したがって、以下の説明では、デッキプレートがそのようにして実際に設置された状態を想定して、「上面」や「下面」あるいは「水平」や「鉛直」などの表現を用いている。
【実施例１】
【００３６】
図１（ａ）及び図２（ａ）は一対のＨ型鋼の間に架け渡されたデッキプレートが本発明の中間支保工によって支持される状態を示した斜視図であり、図１（ｂ）及び図２（ｂ）はそれぞれ図１（ａ）におけるＡ方向矢視図及び図２（ａ）におけるＢ方向矢視図である。
なお、図２（ａ）は図１３において本発明の中間支保工が追加された図に相当し、図１（ａ）は図２（ａ）を鉛直方向に平行な軸を中心として９０度回転させた図に相当する。ただし、図１（ａ）では図２（ａ）に示したＨ型鋼５８ａの図示を省略するとともに、図２（ａ）では図１（ａ）に示したＨ型鋼５８ｂの図示を省略している。また、図２（ａ）では図１（ａ）に一部を省略して示した７枚のデッキプレート５１のうち、４枚のデッキプレート５１について、その全体を示している。さらに、図１１乃至図１３に示した構成要素については、同一の符号を付してその説明を省略する。【００３７】
図１及び図２に示すように、本発明の中間支保工１ａは、所定の間隔を空けて互いに平行をなすように設置された一対のＨ型鋼５８ａ，５８ａの間に、それらの長手方向と直交するように架け渡されたデッキプレート５１の下面に対して上面を当接させた状態で一対のＨ型鋼５８ａ，５８ａと平行に設置された鋼製梁２と、一対のＨ型鋼５８ａ，５８ａの両端近傍に、それらの長手方向と直交するようにそれぞれ設置される一対のＨ型鋼５８ｂ，５８ｂに取り付けられた状態で角材５９を介して鋼製梁２の両端をそれぞれ支持する梁支持具３ａ，３ａを備えている。
なお、この梁支持具３ａは、図２（ａ）又は図２（ｂ）に示すように、一対のＨ型鋼５８ａ，５８ａに取り付けられた状態でデッキプレート５１の両端をそれぞれ支持するデッキプレート支持具として用いることが可能な構造となっている。【００３８】
図３（ａ）及び図３（ｂ）はそれぞれ鋼製梁２を構成する角パイプ４の正面図と固定金具５の斜視図であり、図３（ｃ）は固定金具５を構成する補強部材６の斜視図である。
図３（ａ）に示すように、鋼製の角パイプ４は、断面が高さ方向の長さよりも幅方向の長さが短いような縦長の形状をなしており、その下面４ａには、ボルト８が螺入されるボルト孔（図示せず）と、ボルト８に螺合する雌ネジ部が内周面に形成されたボルト孔（図示せず）を有する台座９が上記２つのボルト孔にボルト８を連通可能に設けられている。そして、角パイプ４のボルト孔には、ボルト８が角パイプ４の内部へ突出した先端部によって、後述するように角パイプ４に内挿された固定金具５の下面を押圧可能に螺入されている。【００３９】
このような構造の角パイプ４においては、ボルト孔に螺入されたボルト８を回す際に、その中心軸がぶれないように台座９によってボルト８が保持されるという作用を有する。
中心軸がぶれると、ボルト８を回し難くなるとともに、ボルト８を回す力が角パイプ４のボルト孔の縁に対して不均一に加わるため、その箇所が破損するおそれがあるが、上述のとおり、角パイプ４ではボルト８に対して台座９が設けられているため、ボルト８を操作し易いだけでなく、角パイプ４のボルト孔の破損を防ぐことができるという効果を有している。【００４０】
図３（ｂ）及び図３（ｃ）に示すように、鋼製の固定金具５は、平面視矩形状をなすとともに一端が下方へ直角に折り曲げられるようにして直立部７ａが形成された金属製の長尺部材７と、この長尺部材７の下面７ｂに設けられる補強部材６からなる。また、長尺部材７には、直立部７ａの近傍に釘孔７ｃが設けられている。なお、釘孔７ｃは、角材５９の上面に載置された長尺部材７の一端を角材５９に対して釘止めする際に用いられる。
補強部材６は、側面視台形をなし、長尺部材７の幅方向の中央において下面７ｂに接合された補強板１０に対して、長手方向の両端に立設板１１と連結板１２が設置されるとともに、下面に長尺板１３が設置された構造となっている。【００４１】
長尺部材７と補強部材６は、それらの幅（短手方向の長さ）と高さ（長尺部材７に直交する方向の長さ）が角パイプ４の開口部の幅と高さ（内側の寸法）よりもそれぞれ短くなるように形成されている。
すなわち、固定金具５は、角パイプ４に内挿可能な構造となっている。したがって、図１（ａ）又は図１（ｂ）に示すように、固定金具５は角パイプ４の内部へ挿設された状態で使用される。【００４２】
このような構造の固定金具５においては、長尺部材７や長尺板１３に垂直な方向やそれ以外の方向について、補強板１０が補強部材６の圧縮強度を高めるように作用する。また、固定金具５では、補強部材６において長尺部材７の長手方向の一端に近い側にあり、かつ、下面７ｂに直交する方向へ長尺部材７から最も離れている箇所（すなわち、直立部７ａに近い側の長尺板１３の端部）と、長尺部材７において補強部材６が設けられていない部分の下面７ｂを連結する連結板１２及びこの連結板１２に接している側の補強板１０の端部によって、長尺部材７において補強部材６が設けられていない部分の曲げ強度が高められるという作用を有する。したがって、固定金具５では、鋼製梁２がＨ型鋼５８ｂ，５８ｂの間に架け渡された場合に、角材５９の上面に載置される部分の長尺部材７や補強部材６が破損し難い。【００４３】
また、角パイプ４に挿設された固定金具５は、角パイプ４の長手方向へスライド可能となっている。この状態で、角パイプ４のボルト孔と台座９のボルト孔に螺入されているボルト８を前進させると、角パイプ４の内部に突出したボルト８の先端部によって固定金具５の補強部材６を構成する長尺板１３の下面が押圧される。そして、ボルト８をさらに前進させ、長尺板１３の下面に対するボルト８の押圧力を高めると、固定金具５は、最終的に角パイプ４に対して移動不能な状態となる。すなわち、ボルト８は、固定金具５を角パイプ４に対して固定するという機能を有している。【００４４】
固定金具５は、角パイプ４に長尺部材７と補強部材６の一部が挿設された状態で、角パイプ４から突出している長尺部材７の一端が角材５９の上面に載置される（図１（ｂ）参照）。
このとき、固定金具５に対して角材５９から引き離すような水平方向の力が加わったとしても、長尺部材７の直立部７ａが角材５９の側面に係止するため、固定金具５が移動して長尺部材７の一端が角材５９の上面から外れてしまうことはない。
すなわち、長尺部材７の直立部７ａが角材５９の側面に係止することにより、角材５９から水平に離れる方向に対する固定金具５の移動が制限されるため、作業者はＨ型鋼５８ｂ，５８ｂに設置された角材５９，５９の間に鋼製梁２を架け渡す作業を安全に行うことができる。【００４５】
また、角パイプ４に挿設された固定金具５は、角パイプ４のボルト孔に螺入されたボルト８を緩めることにより、角パイプ４の長手方向へスライド可能な状態となる。すなわち、角パイプ４の両端に固定金具５，５がそれぞれ挿設された鋼製梁２は、ボルト８を緩めて固定金具５，５を角パイプ４の長手方向へスライドさせることによって、全体の長さを容易に変更可能な構造となっている。【００４６】
このように、中間支保工１ａによれば、コンクリートスラブの形成後に、鋼製梁２の全長を短くすることで、梁支持具３ａ，３ａから鋼製梁２を取り外す作業を容易に行うことができる。また、鋼製梁２は、全長を変更できるため、回収後の利用範囲が広い。すなわち、中間支保工１ａでは、鋼製梁２の再利用が容易である。なお、鋼製梁２は、周知のペコビームと呼ばれる支保梁材よりも軽量であり、しかも部材が少ないため、安価に製造することができる。
さらに、中間支保工１ａでは、鋼製梁２を支持する梁支持具３ａがＨ型鋼５８ｂに取り付けられる構造であることから、デッキプレート５１や鋼製梁２を支持するための支柱を設置する必要がない。また、中間支保工１ａでは、鋼製梁２の端部が梁支持具３ａによって角材５９を介して支持される構造であるため、一対の梁支持具３ａ，３ａによって複数本の鋼製梁２を支持することが可能となっている。【００４７】
したがって、鉄骨を構造材料とする建築物において、全体の長さを変更できる構造のデッキプレート５１を型枠としてコンクリートスラブを形成する際に中間支保工１ａを用いた場合、支柱を用いずにデッキプレート５１を下方から支持できるため、支柱の設置や撤去に要する費用が発生せず、コンクリートスラブの施工費用が安く抑えられる。また、一対の梁支持具３ａ，３ａによって複数の鋼製梁２を支持できるため、１本のＨ型鋼５８ｂに対する梁支持具３ａの設置個数を少なくして、梁支持具３ａの取り付けや取り外しに要する作業の効率化を図ることが可能である。【００４８】
図４（ａ）及び図４（ｂ）はそれぞれ中間支保工１ａを構成する２種類の梁支持具３ａ，３ｂがＨ型鋼に取り付けられた状態を示す斜視図である。そして、図５（ａ）は図１（ｂ）の変形例を示した図であり、図５（ｂ）は図４（ａ）におけるＣ−Ｃ線矢視断面図である。なお、図５（ａ）は図１（ｂ）において梁支持具３ａの代わりに梁支持具３ｂを用いた場合の図に相当する。また、図４（ａ）及び図４（ｂ）並びに図５（ｂ）ではＨ型鋼や角材を破線で示している。【００４９】
図４（ａ）及び図５（ｂ）に示すように、梁支持具３ａは、外周面と内周面にそれぞれ雄ネジ部１４ａと雌ネジ部１４ｂが設けられた上部円筒体１４と、上部円筒体１４の上端に取り付けられた上部受け金具１５と、下端に下部受け金具１６が取り付けられた下部円筒体１７と、下部受け金具１６の上面に設置されたウォーム１８と、上部円筒体１４に上端が螺入され、下端が下部円筒体１７によって円筒軸を中心として回動可能に保持されるとともに、円筒軸に平行な方向への移動が規制された支柱１９と、上部円筒体１４と下部円筒体１７に両端が固定された連結部材２０と、上部円筒体１４に回動可能に外挿された筒状の支持金具２１と、この支持金具２１に設置された角材受け金具２２及び補強金具２３と、上部円筒体１４の雄ネジ部１４ａに螺合した状態で下部円筒体１７と支持金具２１の間に設置されたナット２４を備えている。【００５０】
なお、支柱１９は、外周面の下部にウォーム１８に螺合する斜歯（図示せず）が設けられるとともに、外周面の上部に雌ネジ部１４ｂに螺合する雄ネジ部１９ａが設けられており、下部円筒体１７に上方から回動可能に挿入されている。また、連結部材２０は、側面がテーパ状をなすとともに順次径が小さくなるように形成されて、摺動自在に嵌合された３つの筒状体２０ａ〜２０ｃからなり、筒状体２０ａ，２０ｂを他の筒状体から繰り出すことで振出式の釣竿のように全体が伸縮可能に構成されている。すなわち、全体が伸縮する構造の連結部材２０は、上部円筒体１４を下部円筒体１７に対して、円筒軸方向の移動を許容しつつ、円筒軸を中心として回動不能に連結する回り止め手段としての機能を有している。【００５１】
上部受け金具１５は、上面にゴム板２５ａが設置されるとともに上部円筒体１４の円筒軸方向に直交するように配置され、平面視矩形状をなす平坦部と、この平坦部の端部から上方へ向かうように延設される直立部からなり、矩形状の平板材が一端を直角に折り曲げられたような形状をしている。なお、上部受け金具１５は、上部円筒体１４の上端に対して溶接されており、その平坦部の上面にはゴム板２５ａがネジ留めされている。【００５２】
下部受け金具１６は、矩形状の平板材の両端が折り曲げられて側面視「コ」の字状をなしており、下部円筒体１７の円筒軸方向に直交するように配置される一対の平坦部と、この一対の平坦部の一端同士を接続するように設けられる直立部からなる。ただし、下部受け金具１６は下部円筒体１７の下端に溶接されており、その平坦部の下面にはゴム板２５ｂがネジ留めされている。
なお、下部受け金具１６は、Ｈ型鋼５８ｂの下側フランジを一時的に挟持する手段が設けられた構造であっても良い。この場合、後述するように上部円筒体１４を上昇若しくは下降させる際の安全性がより一層高まるという効果が期待できる。【００５３】
角材受け金具２２は、平面視略矩形状をなし、上部円筒体１４の円筒軸方向に直交するように一端が支持金具２１に溶接された平坦部２２ａと、この平坦部２２ａの他端から上方へ向かうように延設される直立部２２ｂからなり、平板材の一端が直角に曲折されたような形状をなしている。そして、平坦部２２ａは、直立部２２ｂと支持金具２１の間に角材５９を配置可能に形成されている。
また、補強金具２３は平面視略矩形状をなす板材からなり、直角を挟む二辺の端面が上部円筒体１４の外周面と角材受け金具２２の下面に対してそれぞれ溶接されている。
さらに、ナット２４の外周面には４本の突起部２４ａが円周方向へ等間隔に設けられている。【００５４】
このような構造の梁支持具３ａにおいては、上部円筒体１４が下部円筒体１７の上方に配置されるようにして上部円筒体１４の円筒軸方向が鉛直方向と平行になるように設置された状態でウォーム１８を回転させると、支柱１９が回転する。その結果、支柱１９の雄ネジ部１９ａに雌ネジ部１４ｂが螺合している上部円筒体１４が上下方向へ移動する。これにより、梁支持具３ａの全長が変化する。すなわち、梁支持具３ａでは、ウォーム１８を回転させるという簡単な操作によって全体の長さが変化するため、上側フランジから下側フランジまでの距離が異なる複数種類のＨ型鋼５８ｂに対しても、その距離に応じて全体の長さを調節することにより、支障なく設置することができる。
そして、梁支持具３ａをＨ型鋼５８ｂの上下のフランジの間に設置した後にウォーム１８を回転させて上部円筒体１４を上昇させ、上下のフランジに対して上部受け金具１５と下部受け金具１６をそれぞれ当接させた状態で、さらにウォーム１８を回転させて上部円筒体１４を上昇させると、上下のフランジが上部受け金具１５と下部受け金具１６によってそれぞれ押圧されるため、梁支持具３ａをＨ型鋼５８ｂに対して確実に固定することができる。【００５５】
また、梁支持具３ａでは、突起部２４ａを持ってナット２４を回転させると、上部円筒体１４に対して円筒軸方向へ相対的に移動することにより、支持金具２１が上下方向へ移動する。すなわち、梁支持具３ａにおいては、角材受け金具２２に対し、側面を直立部２２ｂに当接させるようにして角材５９を平坦部２２ａの上面に設置した状態でナット２４を回動させると、角材受け金具２２に載置された角材５９の上面の高さが変化するという作用を有する。
このように、梁支持具３ａでは角材受け金具２２に設置された角材５９の上面の高さの調節が容易であるため、中間支保工１ａでは、フランジの厚さが異なる別のＨ型鋼５８ｂに用いる場合にも、鋼製梁２の上面がデッキプレート５１の下面に当接するように、角材５９の上面にスペーサを設置するなどして鋼製梁２の上面の高さを調整する作業を行う必要がない。したがって、中間支保工１ａによれば、デッキプレート５１の設置作業を短時間で効率良く行うことができる。【００５６】
図４（ｂ）に示すように、梁支持具３ｂは、梁支持具３ａにおいて角材受け金具２２の代わりに梁受け金具２６を備えた構造となっている。そして、梁受け金具２６は、上部円筒体１４の円筒軸方向に直交するように一端が支持金具２１に溶接され平面視矩形状をなす平坦部２６ａと、この平坦部２６ａの幅方向（補強金具２３（図５（ｂ）参照）の平坦面に直交する方向）の両端から上方へ向かうように延設される一対の直立部２６ｂ，２６ｂからなり、平板材の両端が直角に曲折されたような形状をなしている。また、梁受け金具２６は、直立部２６ｂ，２６ｂの間隔が固定金具５の長尺部材７の幅よりも広く形成されており、平坦部２６ａの上面に鋼製梁２の端部を載置可能な構造となっている（図５（ａ）参照）。なお、この梁支持具３ｂによって支持される鋼製梁２については、固定金具５の長尺部材７に直立部７ａを設けないものとする。
Ｈ型鋼５８ａ，５８ｂの端部付近では、角材５９を介して鋼製梁２の端部を支持する構造の梁支持具３ａを設置できない場合が多い。これに対し、梁支持具３ｂは、角材５９を用いずに鋼製梁２の端部を直接支持する構造であるため、梁支持具３ａを設置できないような場所に対しても、設置することができる。
【実施例２】
【００５７】
図６（ａ）は一対のＨ型鋼５８ａ，５８ａの間に架け渡されたデッキプレート５１が本実施例の中間支保工１ｂを構成する鋼製梁２と梁支持具３ｃによって支持された状態を示している。また、図６（ｂ）は上記デッキプレート５１の下方に配置された鋼製梁２の両端が一対のＨ型鋼５８ｂ，５８ｂにそれぞれ取り付けられた梁支持具３ｃ，３ｃによって角材５９を介して支持された状態を示している。さらに、図６（ｃ）は図６（ｂ）において鋼製梁２の両端が梁支持具３ｃ，３ｃの代わりに梁支持具３ｄ，３ｄによって支持された状態を示している。
なお、図６（ａ）及び図６（ｂ）はそれぞれ実施例１の図２（ｂ）及び図１（ｂ）に相当し、図６（ｃ）は図６（ｂ）において梁支持具３ｃの代わりに梁支持具３ｄを用いた場合の図に相当する。【００５８】
図７（ａ）及び図７（ｂ）は中間支保工１ｂを構成する２種類の梁支持具３ｃ，３ｄの正面図であり、図７（ｃ）及び図７（ｄ）はそれぞれ図７（ａ）及び図７（ｂ）に示した角材受け金具２２と梁受け金具２６の平面図であり、図７（ｅ）は図７（ａ）及び図７（ｂ）に示した支柱２７の正面図である。
なお、図７（ａ）及び図７（ｂ）ではＨ型鋼５８を破線で示し、図７（ｃ）及び図７（ｄ）では支柱２７の外形を破線で示している。また、図７（ｃ）及び図７（ｄ）はそれぞれ図７（ａ）及び図７（ｂ）において、ゴム板２５ａと上部受け金具１５を支柱２７から取り外した状態で梁支持具３ｃ，３ｄを上方から見た図に相当する。さらに、図４及び図５に示した構成要素については、図６及び図７においても同一の符号を付することによりその説明を省略する。【００５９】
図６及び図７に示すように、梁支持具３ｃは、外周面に雄ネジ部２７ａが設けられ、上端に上部受け金具１５が取り付けられた支柱２７と、下端に下部受け金具１６が取り付けられ、上方から挿入された支柱２７を回動可能に保持する筒状の脚部２８と、支柱２７へ回動可能に外挿される筒状の支持金具２１と、支持金具２１に設置される角材受け金具２２及び補強金具２３と、支持金具２２と脚部２８の間において支柱２７の雄ネジ部２７ａに螺合される上部ナット２９及び下部ナット３０と、を備えている。なお、脚部２８は、請求の範囲に記載された請求項３における第２の円筒体に相当する。【００６０】
上部受け金具１５は、支柱２７の軸方向に直交するように配置されており、溶接によって支柱２７の上端に接合されている。また、支柱２７の外周面には、軸方向と平行に、上端から所定の長さのガイド溝２７ｂが設けられるとともに、中央から下端よりの箇所に両端が閉じられたガイド溝２７ｃが設けられている（図７（ｅ）参照）。
下部受け金具１６は、支柱２７の軸方向に直交するように配置されるとともに、溶接により脚部２８の下端に溶接されている。また、下部受け金具１６の下面には、ボルト３２が螺入されるボルト孔（図示せず）と、ボルト３２に螺合する雌ネジ部が内周面に形成されたボルト孔（図示せず）を有する台座３３が上記２つのボルト孔にボルト３２を連通可能に設けられている。そして、下部受け金具１６のボルト孔には、ボルト３２が下部受け金具１６の内部へ突出した先端部によって、Ｈ型鋼５８ｂの下側フランジの下面を押圧可能に螺入されている。
脚部２８は、外周面にネジ孔（図示せず）が半径方向へ設けられており、このネジ孔に螺合する下部ガイド部材３１ｂが先端を支柱２７のガイド溝２７ｃの内部に対して配置可能に螺挿されている。この場合、ガイド溝２７ｃは下部ガイド部材３１ｂとともに支柱２７の移動方向を脚部２８の円筒軸方向のみに限定し、脚部２８に対する支柱２７の回動を防ぐという作用を有する。すなわち、ガイド溝２７ｃと下部ガイド部材３１ｂは、支柱２７を脚部２８に対して、その円筒軸方向の移動を許容しつつ、円筒軸を中心として回動不能に連結する回り止め手段としての機能を有している。【００６１】
支持金具２１は、外周面にネジ孔（図示せず）が半径方向へ設けられており、このネジ孔に螺合する上部ガイド部材３１ａが先端を支柱２７のガイド溝２７ｂの内部に対して配置可能に螺挿されている（図７（ｃ）参照）。これにより、上部ガイド部材３１ａはガイド溝２７ｂの長手方向に対してのみ移動可能となっている。この場合、ガイド溝２７ｂは上部ガイド部材３１ａとともに支持金具２１の移動方向を支柱２７の軸方向のみに限定し、支柱２７に対する支持金具２１の回動を防ぐという作用を有する。【００６２】
角材受け金具２２は、支柱２７の軸方向に直交するように一端が支持金具２１に溶接されている。また、補強金具２３は平面視略矩形状をなす板材からなり、直角を挟む二辺の端面が支持金具２１の外周面と角材受け金具２２の下面に対してそれぞれ溶接されている。
また、上部ナット２９は下部ナット３０の上方に設置されており、上部ナット２９及び下部ナット３０の外周面には一対の突起部２９ａ，２９ａ及び突起部３０ａ，３０ａが半径方向と平行にそれぞれ設けられている。【００６３】
このような構造の梁支持具３ｃにおいては、支柱２７が脚部２８の上方に配置されるようにして支柱２７の軸方向が鉛直方向と平行になるように設置された状態で下部ナット３０を回転させると、支柱２７が上下方向へ移動する。すなわち、梁支持具３ｃにおいては、下部ナット３０を回転させるという簡単な操作によって全体の長さが容易に変化するため、上側フランジから下側フランジまでの距離が異なる複数種類のＨ型鋼５８ｂに対しても、その距離に応じて全体の長さを調節することにより、支障なく設置することができる。
そして、梁支持具３ｃをＨ型鋼５８ｂの上下のフランジの間に設置した後に下部ナット３０を回転させて支柱２７を上昇させ、上下のフランジに対して上部受け金具１５と下部受け金具１６をそれぞれ当接させた状態で、さらに下部ナット３０を回転させて支柱２７を上昇させると、上下のフランジが上部受け金具１５と下部受け金具１６によってそれぞれ押圧されるため、梁支持具３ｃをＨ型鋼５８ｂに対して確実に固定することができる。【００６４】
また、梁支持具３ｃでは、突起部２９ａを持って上部ナット２９を回転させると、支柱２７に対して軸方向へ相対的に移動することにより、支持金具２１が上下方向へ移動する。すなわち、梁支持具３ｃにおいては、角材受け金具２２に対し、側面を直立部２２ｂに当接させるようにして角材５９を平坦部２２ａの上面に設置した状態で上部ナット２９を回動させると、角材受け金具２２に設置された角材５９の上面の高さが変化するという作用を有する。
このように、梁支持具３ｃでは角材受け金具２２に設置された角材５９の上面の高さの調節が容易であるため、中間支保工１ｂでは、フランジの厚さが異なる別のＨ型鋼５８ｂに用いる場合にも、鋼製梁２の上面がデッキプレート５１の下面に当接するように、角材５９の上面にスペーサを設置するなどして鋼製梁２の上面の高さを調整する作業を行う必要がない。したがって、中間支保工１ｂにおいても、中間支保工１ａと同様にデッキプレート５１の設置作業を短時間で効率良く行うことができるという効果が発揮される。【００６５】
図７（ｂ）及び図７（ｄ）に示すように、梁支持具３ｄは、梁支持具３ｃにおいて角材受け金具２２の代わりに梁受け金具２６を備えた構造となっている。そして、梁受け金具２６は、支柱２７の軸方向に直交するように一端が支持金具２１に溶接されている。また、補強金具２３は平面視略矩形状をなす板材からなり、直角を挟む二辺の端面が支持金具２１の外周面と梁受け金具２６の下面に対してそれぞれ溶接されている。そして、梁受け金具２６は、直立部２６ｂ，２６ｂの間隔が固定金具５の長尺部材７の幅よりも広く形成されており、平坦部２６ａの上面に鋼製梁２の端部を載置可能な構造となっている（図６（ｃ）参照）。なお、この梁支持具３ｄによって支持される鋼製梁２については、固定金具５の長尺部材７に直立部７ａを設けないものとする。
梁支持具３ｄは、このような構造を有していることから、Ｈ型鋼５８ａ，５８ｂの端部付近のように、角材５９を介して鋼製梁２の端部を支持する構造の梁支持具３ｃを設置できない場所に対しても設置することができる。
【実施例３】
【００６６】
次に、鉄筋コンクリートを構造材料とする建築物に対してコンクリートスラブを施工する場合に用いられる中間支保工について、図８乃至図１０を用いて説明する。
図８（ａ）乃至図８（ｃ）は一対の梁型枠６０ａ，６０ａの間に架け渡されたデッキプレート５１が本実施例の中間支保工１ｃによって支持された状態を示している。
図９（ａ）は図８（ｂ）におけるＤ部の拡大図であり、図９（ｂ）は係止金具３２の平面図であり、図９（ｃ）は図９（ａ）におけるＦ−Ｆ線矢視断面図である。図１０（ａ）は図８（ｃ）におけるＥ部の拡大図であり、図１０（ｂ）は図１０（ａ）におけるＧ−Ｇ線矢視断面図である。【００６７】
なお、図８（ａ）及び図８（ｂ）はそれぞれ実施例１の図２（ｂ）及び図１（ｂ）に相当し、図８（ｃ）は図８（ｂ）において梁支持具３ｅの代わりに梁支持具３ｆを用いた場合の図に相当する。また、図４乃至図７に示した構成要素については、図８乃至図１０においても同一の符号を付することによりその説明を省略する。
図８（ａ）に示すように、梁型枠６０ａは、せき板６１と縦桟木６２に端太材６３が締付け金物６４を用いて固定された構造となっており、縦桟木６２の上端に水平に設置された横桟木６５の上面にデッキプレート５１の端部が載置される。【００６８】
図９（ａ）乃至図９（ｃ）に示すように、梁支持具３ｅは、平面視矩形状をなすとともに一端が下方へ直角に折り曲げられるようにして直立部３４ａが形成された金属製の長尺部材３４と、この長尺部材３４の下面３４ｂが上端に取り付けられた角筒状の連結具３５と、この連結具３５に下方から外挿されるとともに下端にフランジ３６ｂが設けられた角筒状の支柱３６と、この支柱３６の外側に遊挿された角筒状の支持金具３７と、この支持金具３７に設置された角材受け金具３８及び補強金具３９と、平面視台形をなす板材からなり、直角を挟む二辺の端面のうちの一方が支柱３６の側面に対して当接するように、上記端面の他方が長尺部材３４の下面３４ｂに溶接された補強金具４０と、を備えている。また、長尺部材３４には、直立部３４ａの近傍に釘孔３４ｃ（図９（ｂ）参照）が設けられている。なお、釘孔３４ｃは、横桟木６５の上面に載置された長尺部材３４を横桟木６５に対して釘止めする際に用いられる。【００６９】
連結具３５の平行な２つの側面には、抜け止めピン４１を連通可能に一対のピン挿通孔（図示せず）が設けられており、支柱３６の平行な２つの側面には、連結具３５の上述の一対のピン挿通孔に挿通された状態の抜け止めピン４１を連通可能に一対のピン挿通孔３６ａ，３６ａが設けられている。
支柱３６において一対のピン挿通孔３６ａ，３６ａが設けられた２つの側面には、抜け止めボルト４２（図９（ｃ）参照）を連通可能に一対のボルト挿通孔（図示せず）が一対のピン挿通孔３６ａ，３６ａの下方に設けられており、支持金具３７の上部には、支柱３６の上述の一対のボルト挿通孔に挿通された状態の抜け止めボルト４２を連通可能に一対のボルト挿通孔が平行な２つの側面に設けられている。【００７０】
角材受け金具３８は、支持金具３７においてボルト挿通孔が設けられていない２つの側面のうちの一方の側面３７ａに対して鋭角をなすように立設されるとともに、上面に角材５９が載置される平坦部３８ａと、平坦部３８ａに直交するように、その一端から延設される直立部３８ｂからなる。また、支持金具３７の幅方向（抜け止めボルト４２が挿通される方向）の中央には、平面視四角形状をなす補強板３９が支持金具３７の側面３７ａと角材受け金具３８の平坦部３８ａに対してそれぞれ直交し、かつ、それらを互いに接続するように設けられている。【００７１】
支持金具３７には、その上端から等距離の箇所において、補強板３９を間に挟むようにして、その両側に、傾き調整用ボルト４３と螺合する雌ネジが内周面に形成された一対のボルト孔（図示せず）が平坦部３８ａの長手方向と平行に設けられている。支持金具３７の上述の一対のボルト孔には、傾き調整用ボルト４３の頭部に対する当接面が角材受け金具３８の平坦部３８ａと直交するように、台座部４４が設けられている。すなわち、傾き調整用ボルト４３の頭部に対する台座部４４の当接面は、支持金具３７の上記ボルト孔の深さ方向に対して直交した状態となっている。【００７２】
角材受け金具３８の平坦部３８ａには、高さ調整用ボルト４５が螺入されるボルト孔（図示せず）と、高さ調整用ボルト４５に螺合する雌ネジ部が内周面に形成されたボルト孔（図示せず）を有する台座部４６が上記２つのボルト孔に高さ調整用ボルト４５を連通可能に設けられている。そして、角材受け金具３８の平坦部３８ａの上記ボルト孔には、高さ調整用ボルト４５が平坦部３８ａの上方へ突出した先端部によって、角材受け金具３８に載置された角材５９の下面を押圧可能に螺入されている。なお、補強金具３９には、高さ調整用ボルト４５と干渉しないように、その一部に切り欠きが設けられている。【００７３】
梁支持具３ｅにおいて、図９（ａ）に示すように、一対の傾き調整用ボルト４３，４３を支持金具３７のボルト孔に螺入すると、支持金具３７が支柱３６に対して、所定の角度範囲内において回動可能に固定される。なお、支持金具３７と支柱３６のなす角度は支持金具３７のボルト孔から傾き調整用ボルト４３を突出させる長さに応じて変化する。
上述の場合、支持金具３７には、その自重によって、抜け止めボルト４２を中心として、角材受け金具３８の平坦部３８ａの先端側（直立部３８ｂに接続されている側）を下方へ移動させようとする回転モーメントが発生する。このとき、先端部が支柱３６に当接した状態にある傾き調整用ボルト４３は、支持金具３７の回転を阻止して、角材受け金具３８の平坦部３８ａの長手方向（支持金具３７の側面３７ａに接合された基端から先端に向かう方向）と水平方向とのなす角度を維持するという機能を有する。【００７４】
したがって、梁支持具３ｅによれば、傾き調整用ボルト４３を操作して、支持金具３７のボルト孔から先端部が突出する長さを調整することで、例えば、図９（ａ）に示すように、角材受け金具３８の平坦部３８ａを水平な状態に保つことが可能である。
また、図９（ａ）に示した状態において、傾き調整用ボルト４３を操作して、その先端部が支持金具３７のボルト孔から突出しない状態にするか、あるいは、傾き調整用ボルト４３そのものを上記ボルト孔から抜出した場合、支持金具３７が自重によって、抜け止めボルト４２を中心として、角材受け金具３８の平坦部３８ａの先端側が下方へ移動する方向へ回転する。【００７５】
すなわち、中間支保工１ｃでは、梁支持具３ｅを梁型枠６０ｂに取り付けた後、傾き調整用ボルト４３を回転させることで、水平方向に対する角材受け金具３８の平坦部３８ａの傾きを調整することができる。
したがって、鉄筋コンクリートを構造材料とする建築物においてコンクリートスラブを形成する際に中間支保工１ｃを用いた場合、コンクリートスラブが形成された段階で、傾き調整用ボルト４３を操作して、その先端部が支持金具３７のボルト孔から突出する長さを短くすると、平坦部３８ａが角材５９から離れる方向へ角材受け金具３８が回転するため、角材５９の撤去が可能になる。そして、角材５９を撤去すると、鋼製梁２を容易に撤去可能な状態になる。さらに、梁型枠６０ｂを撤去すると、梁支持具３ｅをコンクリートスラブから回収することができる。
そして、中間支保工１ｃでは、せき板６１の上部側面に直立部３４ａを係止させるようにして長尺部材３４を横桟木６５の上面に載置することにより、梁支持具３ｅが梁型枠６０ｂに対して簡単に固定される。
このように、中間支保工１ｃでは、梁型枠６０ｂに梁支持具３ｅを取り付ける作業やコンクリートスラブから梁支持具３ｅを回収する作業が容易であるため、鉄筋コンクリートを構造材料とする建築物において、デッキプレートの設置作業や撤去作業を短時間で効率良く行うことができる。【００７６】
図１０（ａ）に示すように、梁支持具３ｆは、梁支持具３ｅにおいて角材受け金具３８の代わりに梁受け金具４７を備えた構造となっている。そして、梁受け金具４７は、支持金具３７の側面３７ａに対して鋭角をなすように立設されるとともに、上面に鋼製梁２の端部が載置される平坦部４７ａと、この平坦部４７ａの幅方向（抜け止めボルト４２が挿通される方向）の両端から上方へ向かうように延設される一対の直立部４７ｂ，４７ｂからなり、平板材の両端が直角に曲折されたような形状をなしている。また、梁受け金具４７は、直立部４７ｂ，４７ｂの間隔が固定金具５の長尺部材７の幅よりも広く形成されており、平坦部４７ａの上面に鋼製梁２の端部を載置可能な構造となっている（図８（ｃ）参照）。
なお、この梁支持具３ｆによって支持される鋼製梁２については、固定金具５の長尺部材７に直立部７ａを設けないものとする。
梁支持具３ｆは、このような構造を有していることから、梁型枠６０ａ，６０ｂの端部付近のように、角材５９を介して鋼製梁２の端部を支持する構造の梁支持具３ｅを設置できない場所に対しても設置することができる。
【産業上の利用可能性】
【００７７】
本発明は、鉄筋コンクリートや鉄骨鉄筋コンクリートを構造材料とする多層建築物において、床や天井等にコンクリートスラブを施工する際に適用可能である。
【符号の説明】
【００７８】
１ａ    中間支保工
１ｂ    中間支保工
１ｃ    中間支保工
２      鋼製梁
３ａ    梁支持具
３ｂ    梁支持具  
３ｃ    梁支持具
３ｄ    梁支持具
３ｅ    梁支持具
３ｆ    梁支持具
４      角パイプ
４ａ    下面
５      固定金具
６      補強部材
７      長尺部材
７ａ    直立部
７ｂ    下面
７ｃ    釘孔
８      ボルト
９      台座
１０    補強板
１１    立設板
１２    連結板
１３    長尺板
１４    上部円筒体
１４ａ  雄ネジ部
１４ｂ  雌ネジ部  
１５    上部受け金具
１６    下部受け金具
１７    下部円筒体
１８    ウォーム
１９    支柱
１９ａ  雄ネジ部
２０    連結部材
２０ａ  筒状体
２０ｂ  筒状体
２０ｃ  筒状体
２１    支持金具
２２    角材受け金具
２２ａ  平坦部
２２ｂ  直立部
２３    補強金具  
２４    ナット
２４ａ  突起部
２５ａ  ゴム板
２５ｂ  ゴム板
２６    梁受け金具
２６ａ  平坦部
２６ｂ  直立部
２７    支柱
２７ａ  雄ネジ部
２７ｂ  ガイド溝
２７ｃ  ガイド溝
２８    脚部
２９    上部ナット
２９ａ  突起部
３０    下部ナット
３０ａ  突起部
３１ａ  上部ガイド部材
３１ｂ  下部ガイド部材
３２    ボルト
３３    台座
３４    長尺部材
３４ａ  直立部
３４ｂ  下面
３４ｃ  釘孔
３５    連結具
３６    支柱
３６ａ  ピン挿通孔
３６ｂ  フランジ
３７    支持金具
３７ａ  側面
３８    角材受け金具
３８ａ  平坦部
３８ｂ  直立部
３９    補強金具
４０    補強金具
４１    抜け止めピン
４２    抜け止めボルト
４３    傾き調整用ボルト
４４    台座部
４５    高さ調整用ボルト
４６    台座部
４７    梁受け金具
４７ａ  平坦部
４７ｂ  直立部
５１    デッキプレート
５２    型枠部材
５３    型枠部材  
５４    平板
５５    平板  
５４ａ  上面
５５ａ  上面  
５４ｂ  下面
５５ｂ  下面  
５６    角パイプ
５７    角パイプ  
５６ａ  開口端
５７ａ  開口端  
５６ｂ  扁平端
５６ｃ  上面
５７ｂ  上面  
５８ａ  Ｈ型鋼
５８ｂ  Ｈ型鋼
５９    角材  
６０ａ  梁型枠
６０ｂ  梁型枠
６１    せき板
６２    縦桟木
６３    端太材
６４    締付け金物
６５    横桟木
【図１】
2019230028.tif 000003
【図２】
2019230028.tif 000004
【図３】
2019230028.tif 000005
【図４】
2019230028.tif 000006
【図５】
2019230028.tif 000007
【図６】
2019230028.tif 000008
【図７】
2019230028.tif 000009
【図８】
2019230028.tif 000010
【図９】
2019230028.tif 000011
【図１０】
2019230028.tif 000012
【図１１】
2019230028.tif 000013
【図１２】
2019230028.tif 000014
【図１３】
2019230028.tif 000015
【国際調査報告】
2019230028.tif 000016
2019230028.tif 000017
2019230028.tif 000018